Podtech/llm-jp-corpus-v4-ja_patent huggingface dataset:
【手続補正書】
【提出日】平成16年1月27日(2004.1.27)
【手続補正１】
【補正対象書類名】明細書
【補正対象項目名】発明の名称
【補正方法】変更
【補正の内容】
【発明の名称】ミシンの上糸交換装置


【手続補正２】
【補正対象書類名】明細書
【補正対象項目名】特許請求の範囲
【補正方法】変更
【補正の内容】
【特許請求の範囲】
【請求項１】
複数の糸巻と、
この各糸巻から各々引出した複数本の糸の端部が垂下して保持されている糸端部保持部と、
この複数本の保持糸から選択された糸の端部を捕捉する第１の糸捕捉部と、
上糸の元糸側端部と前記第１の糸捕捉部により捕捉された被捕捉糸とを結ぶ糸結び部と、
互いに噛み合う開閉可能の一対の歯車を回転して元糸を引き出すことにより、交換糸を針孔に通す歯車機構と、
針に対して吸引口を接近及び離隔移動して針先の糸を吸引捕捉し、前記一対の歯車に渡す第２の糸捕捉部と、
針に対して糸払いを接近及び離隔移動して針先の糸を払い、前記第２の糸捕捉部による糸の捕捉を容易にする糸払い部とを備え、
前記歯車機構、前記第２の糸捕捉部及び前記糸払い部は、全てミシンの面板又はミシン頭部本体の何れか一方のみに支持されていること、を特徴とするミシンの上糸交換装置。
【請求項２】
前記一対の歯車の開閉機構、前記吸引口の移動機構及び前記糸払いの移動機構は連結され、
この連結機構は単一のアクチュエータにより駆動されること、を特徴とする請求項１に記載のミシンの上糸交換装置。
【請求項３】
複数の糸巻と、
この各糸巻から各々引出した複数本の糸の端部が垂下して保持されている糸端部保持部と、
この複数本の保持糸から選択された糸の端部を捕捉する第１の糸捕捉部と、
上糸の元糸側端部と前記被捕捉糸とを結ぶ糸結び部と、
互いに噛み合って回転することにより元糸を牽引して針孔から引出すことで、交換糸を針孔に通す一対の歯車と、
この一対の歯車の噛み合い圧を糸種類に応じて調節可能とする調節部とを備えていること、を特徴とするミシンの上糸交換装置。
【請求項４】
複数の糸巻と、
この各糸巻から各々引出した複数本の糸の端部が垂下して保持されている糸端部保持部と、
この複数本の保持糸から選択された糸の端部を捕捉する第１の糸捕捉部と、
上糸の元糸側端部と前記被捕捉糸とを結ぶ糸結び部と、
針孔から元糸を引出すことにより交換糸を針孔に糸通しする糸引出し部と、
針先の元糸を吸引して捕捉し、前記糸引出し部に渡す第２の糸捕捉部とを備え、
前記第２の糸捕捉部の吸引口には、
先端の左右から奥の中空部に糸を追い込む溝が形成され、
この溝は、
先端から奥の中空部にかけて溝幅が漸次狭くなっていて、
溝面の傾斜は先端から奥の中空部にかけて傾斜角が均一か又は漸減的若しくは漸増的に変化していること、を特徴とするミシンの上糸交換装置。
【請求項５】
前記溝は、
最奥部の溝幅が前記中空部の径と同一又は前記中空部の径より狭いこと、を特徴とする請求項４に記載のミシンの上糸交換装置。
【手続補正３】
【補正対象書類名】明細書
【補正対象項目名】０００１
【補正方法】変更
【補正の内容】
【０００１】
【発明の属する技術分野】
この発明は、ミシンの上糸を自動交換するミシンの上糸交換装置に関する。


【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００７７
【補正方法】変更
【補正の内容】
【００７７】
歯車戻し補助ばねフック４７は、基端部に長孔４７１が形成され、尾端部はフック状の部材である。この補助ばねフック４７は、ねじ４７２を長孔４７１に挿通して面部５５の前面に高さを調節可能に取り付けられる。起動レバー戻しばね４５６の一端４５６ａは補助ばねフック４７のフック部分に係合し、他端４５６ｂは前記上糸吸引リンク４５５に係合し、上糸吸引リンク４５５を付勢する。


【手続補正２０】
【補正対象書類名】明細書
【補正対象項目名】００８８
【補正方法】変更
【補正の内容】
【００８８】
図５を参照して、まず、シリンダ３５１の駆動でフック３５３が迫り出して、被交換糸（Ｔ３１）を掴んで引っ込む。このとき、被交換糸はメス３５４とフック３５３とが交叉することで切断され、被交換糸の元糸側端部はフック３５４と糸押え３５５との間に挟持される。


【手続補正２１】
【補正対象書類名】明細書
【補正対象項目名】０１１８
【補正方法】削除
【補正の内容】
【手続補正２２】
【補正対象書類名】明細書
【補正対象項目名】０１１９
【補正方法】削除
【補正の内容】
【手続補正２３】
【補正対象書類名】明細書
【補正対象項目名】０１２０
【補正方法】削除
【補正の内容】
【手続補正２４】
【補正対象書類名】図面
【補正対象項目名】図１
【補正方法】変更
【補正の内容】
【図１】
1998211375.tif 000001
【手続補正２５】
【補正対象書類名】図面
【補正対象項目名】図５
【補正方法】変更
【補正の内容】
【図５】
1998211375.tif 000002
【手続補正２６】
【補正対象書類名】図面
【補正対象項目名】図６
【補正方法】変更
【補正の内容】
【図６】
1998211375.tif 000003
【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
複数の端子を有するスイッチ（１１）から構成され、データを伝送するためのビット線を有するデータ記憶素子（１０）であって、前記複数の端子の内制御端子は制御信号を受信するように結合され、前記複数の端子の内第２端子は抽出信号を受信するように結合され、前記複数の端子の内第１端子は強誘電体コンデンサ（１２）を介してデータを伝送するように結合され、前記強誘電体コンデンサは複数の端子を有し、前記強誘電体コンデンサの複数の端子の内の１つは前記スイッチの複数の端子の内の前記第１端子と接続されており、前記強誘電体コンデンサの複数の端子の内の別の１つは前記ビット線に接続されることを特徴とするデータ記憶素子（１０）。
【請求項２】
前記スイッチ（１１）はトランジスタから成ることを特徴とする、請求項１記載のデータ記憶素子（１０）。
【請求項３】
ワード線（１３）と、ビット線（１６）と、プレート線（１４）とを有するデータ記憶素子（１０）であって：
前記ワード線に接続された制御端子と、第１電流導通端子と、第２電流導通端子とを有するスイッチ（１１）であって、前記制御端子は前記ワード線（１３）に結合され、前記第２導通端子は前記プレート線（１４）に結合される、前記スイッチ（１１）；
および複数の端子を有する、分極保持コンデンサ（１２）であって、前記複数の端子の内の１つの端子は前記ビット線（１６）に結合され、前記複数の端子の内の別の端子は前記スイッチ（１１）の第１電流導通端子に結合される、前記コンデンサ（１２）；
から成ることを特徴とするデータ記憶素子（１０）。
【請求項４】
前記分極保持コンデンサ（１２）は強誘電体コンデンサであることを特徴とする請求項３記載のデータ記憶素子（１０）。
【請求項５】
データ記憶素子（１０）におけるデータを復元する方法であって：
スイッチ（１１）と分極保持コンデンサ（１２）とを有するデータ記憶素子（１０）を準備する段階であって、前記スイッチ（１１）の制御端子は制御信号を受信するよう結合され、前記スイッチ（１１）の第１電流普通端子は前記分極保持コンデンサ（１２）の第１端子にデータを伝送するように結合され、前記スイッチ（１１）の第２電流普通端子は抽出信号を受信するように結合されている、前記段階；
前記データ記憶素子（１０）にデータを供給する段階；
前記スイッチ（１１）の前記制御端子に第１制御信号を印加する段階；
前記スイッチ（１１）の第２電流導通端子に第１抽出信号を印加し、前記分極保持コンデンサ（１２）からデータを読み出す段階；
前記分極保持コンデンサ（１２）の第２端子にデータ復元電圧を印加する段階；
前記スイッチ（１１）の第２電流導通端子に第２抽出信号を印加する段階；および
前記第２抽出信号を前記スイッチ（１１）の第２電流導通端子に印加した後、前記スイッチ（１１）の前記制御端子に第２制御信号を印加して、前記データ記憶素子（１０）におけるデータを復元する段階；
から成ることを特徴とする方法。
【手続補正書】
【提出日】平成15年8月25日(2003.8.25)
【手続補正１】
【補正対象書類名】明細書
【補正対象項目名】００１４
【補正方法】変更
【補正の内容】
【００１４】
図１に、本発明の画像記録装置の一例の概略図を示す。
図示例の画像記録装置１０（以下、記録装置１０とする）は、前述のデジタルフォトプリンタの焼付現像機として用いられる装置であって、感光材料Ａを露光して潜像を記録するプリンタ１２と、プリンタ１２によって潜像を記録された感光材料Ａに所定の現像処理および乾燥を行ってプリント（仕上りプリント）とし、フィルム１本分等の１件（１ソート）毎に仕分けする処理装置１４とから構成される。また、処理装置１４は、露光済の感光材料Ａの現像処理および乾燥を行う現像処理部１６と、プリントを１件分毎に仕分けして排出する排出部１８とから構成される。


【手続補正２】
【補正対象書類名】明細書
【補正対象項目名】００２４
【補正方法】変更
【補正の内容】
【００２４】
走査搬送手段４６は、露光位置Ｘ（走査線）を挟んで配置される一対の搬送ローラ対７８および８０と、感光材料Ａをより好適に露光位置Ｘに保持するための露光ガイド７９とから構成され、露光ガイド７９によって感光材料Ａを露光位置Ｘに保持しつつ、搬送ローラ対７８および８０によって主走査方向と直交する副走査方向に感光材料Ａを走査搬送する。
前述のように、光ビームＬは、主走査方向に偏向されているので、感光材料Ａは、記録する画像に応じて変調された光ビームＬによって２次元的に走査露光され、潜像が記録される。
なお、走査搬送手段としては、これ以外にも、感光材料Ａを露光位置Ｘに保持しつつ搬送する露光ドラムと、露光位置Ｘを挟んで露光ドラムに当接する２本のニップローラとを用いる走査搬送手段等も好適に例示される。
ニップッローラとからなる搬送手段も利用可能である。


【手続補正３】
【補正対象書類名】明細書
【補正対象項目名】００２５
【補正方法】変更
【補正の内容】
【００２５】
図４に露光ユニット４４の概略斜視図を示す。
光ビーム走査装置は、感光材料Ａを３原色の光ビームを用いて走査露光する３レーザ光異角入射光学系（３光源非合波光学系）で、記録制御部５２と、レーザ光源５４（５４Ｒ，５４Ｇ，５４Ｂ）と、レーザ光源５４から射出された光ビームＬの進行方向に沿って、コリメータレンズ５６Ｒと、集光レンズ５８（５８Ｒ，５８Ｇ，５８Ｂ）と、ＡＯＭ６０（６０Ｒ，６０Ｇ，６０Ｂ）と、反射ミラー６２（６２Ｒ，６２Ｇ，６２Ｂ）と、シリンドリカルレンズ６４（６４Ｒ，６４Ｇ，６４Ｂ）と、ポリゴンミラー６６と、ｆθレンズ６８と、シリンドリカルミラー７０と、反射ミラー７２および７４とを有して構成される。


【手続補正４】
【補正対象書類名】明細書
【補正対象項目名】００４０
【補正方法】変更
【補正の内容】
【００４０】
図５に、処理装置１４の概略図が示される。
処理装置１４は、現像部８４および乾燥部８６を有する現像処理部１６と、排出装置８８およびソータ９０を有する排出部１８とから構成される。
現像部８４は、発色現像槽９２、定着漂白槽９４、水洗槽９６ａ，９６ｂ，９６ｃおよび９６ｄを有するものであり、潜像を記録された感光材料Ａは、所定速度で搬送されつつ、順次各槽に浸漬され、湿式の現像処理が施されて潜像が顕像化される。
現像処理が終了した感光材料Ａは、そのまま乾燥部８６に搬入され、乾燥部８６内を搬送されつつ、温風乾燥等の公知の手段で乾燥され、プリント（仕上りプリント）とされる。


【手続補正５】
【補正対象書類名】図面
【補正対象項目名】図２
【補正方法】変更
【補正の内容】
【図２】
1998319510.tif 000001
【手続補正書】
【提出日】平成15年11月21日(2003.11.21)
【手続補正１】
【補正対象書類名】明細書
【補正対象項目名】発明の名称
【補正方法】変更
【補正の内容】
【発明の名称】ビデオカメラおよびその制御方法
【手続補正２】
【補正対象書類名】明細書
【補正対象項目名】特許請求の範囲
【補正方法】変更
【補正の内容】
【特許請求の範囲】
【請求項１】
被写体像を結像するための光学系を有し、被写体を撮影するための撮影手段と、
この撮影手段によって撮影している被写体の画像を表示するための画像表示手段と、
前記撮影手段における前記光学系を駆動して、前記撮影手段が合焦状態で撮影可能な被写体までの距離を調節するための焦点調節手段と、
この焦点調節手段の状態を検出する検出手段と、
この検出手段の検出出力に基づいて、前記撮影手段が合焦状態で撮影可能な被写体までの距離の情報を生成する距離情報生成手段と、
この距離情報生成手段によって生成された情報を、前記画像表示手段を用いて表示するための距離情報表示制御手段と
を備えたことを特徴とするビデオカメラ。
【請求項２】
前記距離情報生成手段は、前記距離の情報を文字，記号によって表示するための信号を生成することを特徴とする請求項１記載のビデオカメラ。
【請求項３】
前記距離情報表示制御手段は、前記距離の情報を表示するか否かが選択可能であることを特徴とする請求項１記載のビデオカメラ。
【請求項４】
前記距離情報表示制御手段は、前記被写体の画像と前記距離の情報を示す画像とを合成して、この合成された画像を前記画像表示手段を用いて表示することを特徴とする請求項１記載のビデオカメラ。
【請求項５】
撮影手段における光学系を駆動して、前記撮影手段が合焦状態で撮影可能な被写体までの距離を調節し、
この調節の状態を検出し、
検出により得た検出出力に基づいて、前記撮影手段が合焦状態で撮影可能な被写体までの距離の情報を生成し、
前記距離の情報を表示するための距離情報表示制御を行うことを特徴とするビデオカメラの制御方法。
【請求項６】
前記距離情報表示制御では、前記距離の情報を文字、記号によって表示するための信号を生成することを特徴とする請求項５記載のビデオカメラの制御方法。
【請求項７】
前記距離情報表示制御では、前記距離の情報を表示するか否かが選択可能であることを特徴とする請求項５記載のビデオカメラの制御方法。
【請求項８】
前記距離情報表示制御では、前記被写体の画像と前記距離の情報を示す画像とを合成して、この合成された画像を表示することを特徴とする請求項５記載のビデオカメラの制御方法。
【手続補正３】
【補正対象書類名】明細書
【補正対象項目名】０００７
【補正方法】変更
【補正の内容】
【０００７】
【課題を解決するための手段】
本発明のビデオカメラは、被写体像を結像するための光学系を有し、被写体を撮影するための撮影手段と、この撮影手段によって撮影している被写体の画像を表示するための画像表示手段と、撮影手段における光学系を駆動して、撮影手段が合焦状態で撮影可能な被写体までの距離を調節するための焦点調節手段と、この焦点調節手段の状態を検出する検出手段と、この検出手段の検出出力に基づいて、撮影手段が合焦状態で撮影可能な被写体までの距離の情報を生成する距離情報生成手段と、この距離情報生成手段によって生成された情報を、画像表示手段を用いて表示するための距離情報表示制御手段とを備えたものである。
本発明によるビデオカメラの制御方法は、撮影手段における光学系を駆動して、撮影手段が合焦状態で撮影可能な被写体までの距離を調節すると共に、この調節の状態を検出し、検出により得た検出出力に基づいて、撮影手段が合焦状態で撮影可能な被写体までの距離の情報を生成し、距離の情報を表示するための距離情報表示制御を行うようにしたものである。
【手続補正４】
【補正対象書類名】明細書
【補正対象項目名】０００８
【補正方法】変更
【補正の内容】
【０００８】
本発明のビデオカメラでは、焦点調節手段により、撮影手段における光学系が駆動されて、撮影手段が合焦状態で撮影可能な被写体までの距離が調節される。このときの焦点調節手段の状態が、検出手段により検出されて、距離情報生成手段により、この検出手段の検出出力に基づいて、撮影手段が合焦状態で撮影可能な被写体までの距離の情報が生成され、画像表示手段により表示される。
本発明によるビデオカメラの制御方法では、撮影手段における光学系が駆動されて、撮影手段が合焦状態で撮影可能な被写体までの距離が調節されると共に、このときの焦点調節手段の状態が検出される。この検出出力に基づいて、撮影手段が合焦状態で撮影可能な被写体までの距離の情報が生成され、表示される。
【手続補正５】
【補正対象書類名】明細書
【補正対象項目名】００３５
【補正方法】変更
【補正の内容】
【００３５】
【発明の効果】
以上説明したように、請求項１ないし４のいずれかに記載のビデオカメラまたは請求項５ないし８のいずれかに記載のビデオカメラの制御方法によれば、焦点調節手段の状態を検出し、この検出出力に基づいて、合焦状態で撮影可能な被写体までの距離の情報を生成し、この情報を画像表示手段により表示するようにしたので、使用者は画像表示手段から視線を外すことなく、被写体までの距離を確認することができ、撮影の作業効率を向上させることができるという効果を奏する。


【手続補正６】
【補正対象書類名】明細書
【補正対象項目名】００３６
【補正方法】変更
【補正の内容】
【００３６】
また、請求項３に記載のビデオカメラまたは請求項７に記載のビデオカメラの制御方法によれば、任意に設定された制御信号に基づいて、合焦状態で撮影可能な被写体までの距離を画像表示手段に表示するか否かを制御することができるので、更に、使用者が画像表示手段に表示される画面を見ながら、被写体までの距離の確認の必要性に応じて、距離の表示のオン・オフを決定することができ、作業の自由度が増すという効果を奏する。
【手続補正書】
【提出日】平成15年12月18日(2003.12.18)
【手続補正１】
【補正対象書類名】明細書
【補正対象項目名】発明の名称
【補正方法】変更
【補正の内容】
【発明の名称】プラズマディスプレイ装置
【手続補正２】
【補正対象書類名】明細書
【補正対象項目名】特許請求の範囲
【補正方法】変更
【補正の内容】
【特許請求の範囲】
【請求項１】
少なくとも輝度の異なる二つのサブフィールドを含む複数のサブフィールドにより１フレームを構成するプラズマディスプレイ装置において、
前記二つのサブフィールドのうち、低輝度のものは、高輝度のものに比べて、サブフィールド内に設けられたリセット期間とアドレス期間の双方の長さまたは両期間のいずれか一方の長さが短いことを特徴とするプラズマディスプレイ装置。
【請求項２】
前記低輝度のものは、前記高輝度のものに比べて、リセット期間内のパルスが間引かれまたはパルスの幅が短くされ若しくはパルスの間隔が短くされてなることを特徴とする請求項１記載のプラズマディスプレイ装置。
【請求項３】
前記低輝度のものは、前記高輝度のものに比べて、アドレス期間内のパルスの幅が短くされてなることを特徴とする請求項１記載のプラズマディスプレイ装置。
【請求項４】
前記低輝度のものは、前記高輝度のものに比べて、リセット期間の始まりまたは維持放電期間の終わりに位置する中断期間が省略若しくは短くされてなることを特徴とする請求項１記載のプラズマディスプレイ装置。
【請求項５】
少なくとも輝度の異なる二つのサブフィールドを含む複数のサブフィールドにより１フレームを構成するプラズマディスプレイ装置において、
前記二つのサブフィールドのうちの低輝度のものに後続するサブフィールドは、前記二つのサブフィールドのうちの高輝度のものに後続するサブフィールドに比べて、サブフィールド内に設けられたリセット期間の長さが短いことを特徴とするプラズマディスプレイ装置。
【請求項６】
前記低輝度のものに後続するサブフィールドは、前記高輝度のものに後続するサブフィールドに比べて、リセット期間内のパルスが間引かれまたはパルスの幅が短くされ若しくはパルスの間隔が短くされてなることを特徴とする請求項５記載のプラズマディスプレイ装置。
【手続補正３】
【補正対象書類名】明細書
【補正対象項目名】００１７
【補正方法】変更
【補正の内容】
【００１７】
【課題を解決するための手段】
請求項１に係る発明は、少なくとも輝度の異なる二つのサブフィールドを含む複数のサブフィールドにより１フレームを構成するプラズマディスプレイ装置において、前記二つのサブフィールドのうち、低輝度のものは、高輝度のものに比べて、サブフィールド内に設けられたリセット期間とアドレス期間の双方の長さまたは両期間のいずれか一方の長さが短いことを特徴とする。


【手続補正４】
【補正対象書類名】明細書
【補正対象項目名】００１８
【補正方法】変更
【補正の内容】
【００１８】
請求項２に係る発明は、請求項１に係る発明において、前記低輝度のものは、前記高輝度のものに比べて、リセット期間内のパルスが間引かれまたはパルスの幅が短くされ若しくはパルスの間隔が短くされてなることを特徴とする。
請求項３に係る発明は、請求項１に係る発明において、前記低輝度のものは、前記高輝度のものに比べて、アドレス期間内のパルスの幅が短くされてなることを特徴とする。


【手続補正５】
【補正対象書類名】明細書
【補正対象項目名】００１９
【補正方法】変更
【補正の内容】
【００１９】
請求項４に係る発明は、請求項１に係る発明において、前記低輝度のものは、前記高輝度のものに比べて、リセット期間の始まりまたは維持放電期間の終わりに位置する中断期間が省略若しくは短くされてなることを特徴とする。
請求項５に係る発明は、少なくとも輝度の異なる二つのサブフィールドを含む複数のサブフィールドにより１フレームを構成するプラズマディスプレイ装置において、前記二つのサブフィールドのうちの低輝度のものに後続するサブフィールドは、前記二つのサブフィールドのうちの高輝度のものに後続するサブフィールドに比べて、サブフィールド内に設けられたリセット期間の長さが短いことを特徴とする。
請求項６に係る発明は、請求項５に係る発明において、前記低輝度のものに後続するサブフィールドは、前記高輝度のものに後続するサブフィールドに比べて、リセット期間内のパルスが間引かれまたはパルスの幅が短くされ若しくはパルスの間隔が短くされてなることを特徴とする。
本発明では、低輝度のサブフィールドになるほど、リセット期間とアドレス期間の双方の長さまたは両期間のいずれか一方の長さが短くなるため、サブフィールド長の実質的な短縮化が図られる。したがって、その短縮分を利用すれば、表示行数の増大要求に対応することができる。
【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
静止側周面に静止側軌道面を有し使用時にも回転しない静止輪と、回転側周面に回転側軌道面を有し使用時に回転する回転輪と、上記静止側軌道面と回転側軌道面との間に設けられた複数の転動体と、全体を円環状に形成され、上記回転輪にこの回転輪と同心に支持され、円周方向に亙る特性を交互に且つ等間隔に変化させたエンコーダと、上記静止輪の端部に固定されてこの静止輪の端部開口の少なくとも一部を塞ぐカバーと、このカバーに支持された状態で上記エンコーダのフランジ面に対向するセンサとを備えた回転速度検出装置付転がり軸受ユニットに於いて、上記カバーの一部にはこのカバーの内外を連通させる貫通孔が形成されており、上記センサはこの貫通孔内に挿入自在な合成樹脂製のホルダ中に包埋されており、このホルダの一部と上記カバーの一部との間には、これらホルダとカバーとの間に存在する隙間を塞ぎ、この隙間を通じて上記カバー内に異物が進入する事を防止する為のシール部材が設けられており、上記ホルダと上記カバーとの間で上記シール部材の設置部分から外れた部分には、上記ホルダの円周方向に亙る位置決めを図る為の係合部が設けられており、上記シール部材が上記ホルダの一部と上記カバーの一部との間で挟持される以前に上記係合部を係合状態として上記貫通孔内での上記ホルダの円周方向に関する位置決めを図るべく、上記係合部の設置位置と上記シール部材の設置位置との関係を規制した事を特徴とする回転速度検出装置付転がり軸受ユニット。【請求項２】ホルダが、円柱状挿入部を設けたものであり、この円柱状挿入部の中間部外周面に係止溝を全周に亙って形成しており、カバーの内外を連通させる貫通孔の内周面又はこのカバーの一部でこの貫通孔の開口を囲む部分に形成した保持筒の内周面と、上記係止溝の底面との間で、この係止溝に係止したシール部材が弾性的に圧縮されている、請求項１に記載した回転速度検出装置付転がり軸受ユニット。
【手続補正２】
【補正対象書類名】明細書
【補正対象項目名】００２３
【補正方法】変更
【補正の内容】
【００２３】
更に、本発明の回転速度検出装置付転がり軸受ユニットの場合には、上記ホルダと上記カバーとの間で上記シール部材の設置部分から外れた部分に、上記ホルダの円周方向に亙る位置決めを図る為の係合部を設けている。そして、上記係合部の設置位置と上記シール部材の設置位置との関係を、上記シール部材が上記ホルダの一部と上記カバーの一部との間で挟持される以前に上記係合部を係合状態として上記貫通孔内での上記ホルダの円周方向に関する位置決めを図るべく規制している。
又、請求項２に記載した回転速度検出装置付転がり軸受ユニットの場合には、上記ホルダが、円柱状挿入部を設けたものである。又、この円柱状挿入部の中間部外周面に係止溝を全周に亙って形成している。そして、上記カバーの内外を連通させる貫通孔の内周面又はこのカバーの一部でこの貫通孔の開口を囲む部分に形成した保持筒の内周面と、上記係止溝の底面との間で、この係止溝に係止したシール部材が弾性的に圧縮されている。
【手続補正書】
【提出日】平成15年8月1日(2003.8.1)
【手続補正１】
【補正対象書類名】明細書
【補正対象項目名】請求項１
【補正方法】変更
【補正の内容】
【請求項１】
文字を入力する文字入力手段と、この文字入力手段で入力した文字数に応じて、セルを拡大するセル拡大手段とを備えたことを特徴とする文字処理システム。
【手続補正２】
【補正対象書類名】明細書
【補正対象項目名】請求項５
【補正方法】変更
【補正の内容】
【請求項５】
文字を入力する文字入力ステップと、この文字入力ステップで入力した文字数に応じて、セルを拡大するセル拡大ステップとを備えたことを特徴とする文字処理方法。
【手続補正３】
【補正対象書類名】明細書
【補正対象項目名】０００６
【補正方法】変更
【補正の内容】
【０００６】
（１）文字を入力する文字入力手段と、この文字入力手段で入力した文字数に応じて、セルを拡大するセル拡大手段とを備えた文字処理システム。


【手続補正４】
【補正対象書類名】明細書
【補正対象項目名】０００９
【補正方法】変更
【補正の内容】
【０００９】
（４）セル拡大手段でセルを拡大したときに、文字入力手段で入力した文字の順序を並べ換える文字並べ換え手段を備えた前記（１）記載の文字処理システム。
（５）文字を入力する文字入力ステップと、この文字入力ステップで入力した文字数に応じて、セルを拡大するセル拡大ステップとを備えた文字処理方法。
【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
入力信号の切り替わりを緩やかに変化させる充放電手段と、
該充放電手段のからの充放電信号を受け取り、該充放電信号がしきい値を越えると出力信号が切り替わる論理回路とを備えた遅延回路であって、
前記充放電手段は、前記論理回路の入力に一端が接続されたスイッチ手段と、該スイッチ手段の他端に一端が接続された容量手段とを備え、前記論理回路の出力信号により前記スイッチ手段のスイッチングを制御して該容量手段による時定数を変化させるようにしたことを特徴とする遅延回路。
【請求項２】
請求項１に記載の遅延回路であって、前記スイッチ手段は、前記充放電信号がしきい値を越えて切り替わる前記論理回路の出力信号を受けてスイッチオフとなるように制御されていることを特徴とする遅延回路。
【請求項３】
請求項１に記載の遅延回路であって、前記スイッチ手段により前記論理回路の入力との接続が制御される前記容量手段は、複数個並列に設けられていることを特徴とする遅延回路。
【請求項４】
請求項３に記載の遅延回路であって、前記複数の容量手段のうちの少なくとも１つは、一端が前記スイッチ手段の他端に接続され、他端が所定の電源線に接続されていることを特徴とする遅延回路。
【請求項５】
請求項３に記載の遅延回路であって、前記複数の容量手段のうちの少なくとも１つは、一端が前記スイッチ手段の他端に接続され、他端が所定の制御信号が供給されたドライバ回路の出力に接続されていることを特徴とする遅延回路。
【請求項６】
請求項１に記載の遅延回路であって、前記充放電手段は、前記論理回路の入力に挿入され、さらに、前記入力信号を該抵抗手段を介して供給する抵抗手段と、該抵抗手段に並列に設けられた他のスイッチ手段とを備え、前記論理回路の出力信号により前記他のスイッチ手段のスイッチングを制御して該抵抗手段による時定数を変化させるようにしたことを特徴とする遅延回路。
【請求項７】
請求項６に記載の遅延回路であって、前記他のスイッチ手段は、前記充放電信号がしきい値を越えて切り替わる前記論理回路の出力信号を受けてスイッチオンとなるように制御されていることを特徴とする遅延回路。
【請求項８】
請求項６に記載の遅延回路であって、前記他のスイッチ手段および該他のスイッチ手段により前記論理回路の入力との短絡が制御される前記抵抗手段は、それぞれ複数個直列に設けられていることを特徴とする遅延回路。
【請求項９】
請求項８に記載の遅延回路であって、前記複数の抵抗手段の短絡を制御する前記複数の他のスイッチ手段は、それぞれ前記論理回路の出力信号によりスイッチングが制御されるようになっていることを特徴とする遅延回路。
【請求項１０】
請求項１〜９のいずれか１項に記載の遅延回路であって、前記論理回路は、ＣＭＯＳインバータを備えて構成されていることを特徴とする遅延回路。
【請求項１１】
請求項１〜１０のいずれか１項に記載の遅延回路であって、前記容量手段は、ＭＯＳ容量として構成されていることを特徴とする遅延回路。
【請求項１２】
複数のメモリセルを有するセルマトリクスと、
該セルマトリクスから出力された読み出しデータをラッチするデータラッチと、
アドレス信号の切り替わりを検出するアドレストランスファ検出回路と、
該アドレストランスファ検出回路の出力信号に従って前記データラッチにラッチ制御信号を出力し、該ラッチ制御信号に同期して前記読み出しデータを出力するように前記データラッチを制御する遅延回路とを備え、該遅延回路は、請求項１〜１１のいずれか１項に記載の遅延回路であることを特徴とする半導体記憶装置。
【請求項１３】
請求項１２に記載の半導体記憶装置であって、該半導体記憶装置は、フラッシュＥＥＰＲＯＭであることを特徴とする半導体記憶装置。
【手続補正２】
【補正対象書類名】明細書
【補正対象項目名】００２３
【補正方法】変更
【補正の内容】
【００２３】
【課題を解決するための手段】
本発明によれば、入力信号の切り替わりを緩やかに変化させる充放電手段と、該充放電手段のからの充放電信号を受け取り、該充放電信号がしきい値を越えると出力信号が切り替わる論理回路とを備えた遅延回路であって、前記充放電手段は、前記論理回路の入力に一端が接続されたスイッチ手段と、該スイッチ手段の他端に一端が接続された容量手段とを備え、前記論理回路の出力信号により前記スイッチ手段のスイッチングを制御して該容量手段による時定数を変化させるようにしたことを特徴とする遅延回路が提供される。


【手続補正３】
【補正対象書類名】明細書
【補正対象項目名】００２４
【補正方法】変更
【補正の内容】
【００２４】
本発明の遅延回路によれば、充放電手段により、入力信号の切り替わりが緩やかに変化され、また、論理回路により、充放電手段のからの充放電信号がしきい値を越えると出力信号が切り替えられる。そして、充放電手段は、論理回路の入力に一端が接続されたスイッチ手段と、該スイッチ手段の他端に一端が接続された容量手段とを備える。このスイッチ手段のスイッチングを論理回路の出力信号により制御することにより、容量手段による時定数を変化させるようになっている。
【手続補正書】
【提出日】平成15年7月25日(2003.7.25)
【手続補正１】
【補正対象書類名】明細書
【補正対象項目名】００２９
【補正方法】変更
【補正の内容】
【００２９】
マウスがドロップ操作されたとき（ステップＳ１２：ＹＥＳ）、画像メモリ２４の描画内容を変更する（ステップＳ１３）。すなわち、マウスの離された位置で画像の配置位置が決定され、その画像の配置位置での画像を画像ファイル２２の対応する位置から読み出して画像メモリ２４上に画像１６１Ａとして書き込む（図２０参照）。なお、この場合、マウスによる移動前の位置における外接矩形領域１４は、図１４に示した位置にあり、ドロップ操作されたときの移動後の位置における外接矩形領域１４は、図２０に示した位置に移動している。
【手続補正書】
【提出日】平成15年9月9日(2003.9.9)
【手続補正１】
【補正対象書類名】明細書
【補正対象項目名】特許請求の範囲
【補正方法】変更
【補正の内容】
【特許請求の範囲】
【請求項１】
画像データ、前記画像データと装置に依存しない測色値とを関連付ける色定義データ、ならびに前記画像データが撮影被写体、中間媒体および観賞系のいずれに対して定義されたデータであるかを示す定義対象データを有することを特徴とする画像ファイル。
【請求項２】
前記中間媒体は撮影フィルムであることを特徴とする請求項１に記載の画像ファイル。
【手続補正２】
【補正対象書類名】明細書
【補正対象項目名】０００４
【補正方法】変更
【補正の内容】
【０００４】
【発明が解決しようとする課題】
例えば、フォトＣＤの規格では、記録されている画像データは、デバイスによらず、実際の被写体の色再現を定義することが定められており、すなわち、フォトＣＤに記録されている画像データは、実際の被写体（シーン）に対応する画像データである。また、近年急速に普及しているデジタルカメラによる画像データも、通常は、実際の被写体の色再現を定義した画像データである。
一方、Ａｐｐｌｅ社のＣｏｌｏｒ  Ｓｙｎｃという規格では、画像データは、モニタに再生される画像の色再現をデフォルトとして定義している。


【手続補正３】
【補正対象書類名】明細書
【補正対象項目名】０００８
【補正方法】変更
【補正の内容】
【０００８】
【課題を解決するための手段】
前記目的を達成するために、本発明は、画像データ、前記画像データと装置に依存しない測色値とを関連付ける色定義データ、ならびに前記画像データが撮影被写体、中間媒体および観賞系のいずれに対して定義されたデータであるかを示す定義対象データを有することを特徴とする画像ファイルを提供する。
ここで、前記中間媒体は撮影フィルムであるのが好ましい。
【手続補正４】
【補正対象書類名】明細書
【補正対象項目名】００１８
【補正方法】変更
【補正の内容】
【００１８】
ここで、本発明の画像ファイル１０に記録される画像データ１８を用いて可視像を再現する場合に、画像データ１８が観賞系の色再現を定義することが定義対象データ１４に記録されている場合には、この画像はある意味で完成された画像であるので、この画像データ１８を色定義データ１６に応じて測色値に変換して、この測色値をモニタやプリンタ等の出力デバイスに応じた画像データに変換して、そのまま可視像を出力すればよい。
他方、画像データ１８が被写体や中間媒体の色再現を定義することが定義対象データ１４に記録されている場合には、この画像データ１８を色定義データ１６に応じて測色値に変換して、この測色値をモニタやプリンタ等の出力デバイスに応じた画像データに変換して、さらに、デバイスに応じた階調変換や色・濃度補正等を施した後に、可視像を出力する。なお、この際には、測色値の状態で階調変換等を掛けてデバイス応じた画像データに変換してもよい。
【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
電子回路要素が作り込まれ平板形状に形成された半導体ペレットと、この半導体ペレットに複数のワイヤによって電気的に接続された複数本のインナリードと、これらインナリードにそれぞれ連結された複数本のアウタリードと、前記半導体ペレット、前記インナリード群および前記ワイヤ群を封止した封止体とを備えており、前記アウタリード群が前記封止体から突出している半導体装置において、
前記インナリード群のうち大電流用インナリードには複数本のワイヤの一端が接続され、前記複数本のワイヤの他端は前記半導体ペレットの大電流用電極パッドに接続されていることを特徴とする半導体装置。
【請求項２】
電子回路要素が作り込まれ小形の平板形状に形成された半導体ペレットと、この半導体ペレットに複数のワイヤによって電気的に接続された複数本のインナリードと、これらインナリードにそれぞれ連結された複数本のアウタリードと、前記半導体ペレット、前記インナリード群および前記ワイヤ群を封止した封止体とを備えており、前記アウタリード群が前記封止体から突出している半導体装置において、
前記インナリード群のうち大電流用インナリードには幅の広いワイヤの一端が接続され、前記幅の広いワイヤの他端は前記半導体ペレットの大電流用電極パッドに接続されていることを特徴とする半導体装置。
【請求項３】
前記電子回路要素が作り込まれ平板形状に形成された半導体ペレットは、パワーＭＯＳ回路が作り込まれた半導体ペレットであることを特徴とする請求項１または請求項２に記載の半導体装置。
【請求項４】
前記大電流用インナリードに接続されたワイヤの他端は、パワーＭＯＳ回路が作り込まれた半導体ペレットのソースまたはドレインに接続されていることを特徴とする請求項１、請求項２または請求項３のいずれか１項に記載の半導体装置。
【請求項５】
電子回路要素が作り込まれ平板形状に形成された半導体ペレットと、該半導体ペレットの前記電子回路要素が作り込まれた面とは反対側の面に接続されたタブと、前記半導体ペレットに複数のワイヤによって電気的に接続された大電流用インナリードを含む複数のインナリードと、これら複数のインナリードそれぞれに連結された複数のアウタリードと、前記半導体ペレット、前記タブ、前記複数のインナリードおよび前記複数のワイヤを封止した封止体とを備えており、
前記大電流用インナリードの一部は前記タブの一辺に沿って延設され、該延設部分と前記半導体ペレットの大電流用電極パッドとが複数のワイヤにより接続されていることを特徴とする半導体装置。
【請求項６】
前記タブは長方形状であり、前記大電流用インナリードの一部は前記タブの長辺に沿って延設されていることを特徴とする請求項５に記載の半導体装置。
【請求項７】
前記半導体ペレットの大電流用電極パッドが前記大電流用インナリードの延設方向と平行に一連の長方形に形成されていることを特徴とする請求項５または６に記載の半導体装置。
【請求項８】
一主面に電子回路が形成された平面形状が四角形の半導体ペレットと、前記半導体ペレットの一主面とは反対側の他の主面に接続されたタブと、前記半導体ペレットに複数のワイヤによって電気的に接続された大電流用インナリードを含む複数のインナリードと、これら複数のインナリードそれぞれに連結された複数のアウタリードと、前記半導体ペレット、前記タブ、前記複数のインナリードおよび前記複数のワイヤを封止した封止体とを備えており、
前記複数のインナリードそれぞれの先端が前記タブの一辺に向かい合うように前記複数のインナリードは配置され、
前記大電流用インナリードの一部は前記先端が向かい合うタブの一辺に沿って長く配設され、該配設された部分と前記半導体ペレットの大電流用電極パッドとが複数のワイヤにより接続されていることを特徴とする半導体装置。
【請求項９】
前記半導体ペレットの大電流用電極パッドが前記大電流用インナリードの配設方向と平行に一連の長方形に形成されていることを特徴とする請求項８に記載の半導体装置。
【請求項１０】
請求項１に記載の半導体装置の製造方法であって、
電子回路要素が作り込まれて小形の平板形状に形成された前記半導体ペレットが準備される半導体ペレット準備工程と、
前記アウタリード群の一端が外枠に一体的に支持されており、前記インナリードのうち大電流用インナリードが前記タブの一辺に沿って長く延在するように配設されたリードフレームが準備されるリードフレーム準備工程と、
前記半導体ペレットが前記リードフレームのタブに固着され、前記各インナリードと前記半導体ペレットの各電極パッドとの間に前記複数のワイヤの両端がそれぞれ接続され、かつ、前記大電流用インナリードに複数本のワイヤまたは幅の広いワイヤの一端が接続されるとともに、これらワイヤの他端が前記半導体ペレットの大電流用電極パッドに接続されるボンディング工程と、
前記半導体ペレット、前記インナリード群および前記ワイヤ群を封止する封止体が形成される封止体形成工程と、
を備えていることを特徴とする半導体装置の製造方法。
【請求項１１】
前記リードフレームは３本のインナリードが互いに平行に配列されているとともに、中央部のインナリードには前記半導体ペレットが固着されるタブが形成されていることを特徴とする請求項１０に記載の半導体装置の製造方法。
【請求項１２】
前記タブにおける前記インナリードの配列方向と直角をなす一辺に沿って前記大電流用インナリードが配設されていることを特徴とする請求項１０に記載の半導体装置の製造方法。
【請求項１３】
前記タブにおける前記インナリードの配列方向と平行をなす一辺に沿って前記大電流用インナリードが配設されていることを特徴とする請求項１０に記載の半導体装置の製造方法。
【手続補正書】
【提出日】平成15年11月20日(2003.11.20)
【手続補正１】
【補正対象書類名】明細書
【補正対象項目名】特許請求の範囲
【補正方法】変更
【補正の内容】
【特許請求の範囲】
【請求項１】
膜厚が１０オングストロームから２００オングストロームの範囲であるダイヤモンド状カーボン膜に被覆された蛍光体。
【請求項２】
ダイヤモンド状カーボン膜に被覆された蛍光体が粒子状であることを特徴とする蛍光体。
【請求項３】
ダイヤモンド状カーボン膜に被覆された蛍光体が層状に形成されたことを特徴とする蛍光体。
【請求項４】
不純物のドープによる導電性を有しているダイヤモンド状カーボン膜に被覆された蛍光体。
【請求項５】
ＩＩ−ＶＩ族系蛍光体、ＩＩ−ＩＶ−ＶＩ族蛍光体、ＩＩＩ−ＩＶ−ＶＩ族蛍光体、ＩＩＩ−Ｖ族系蛍光体から選択された蛍光体である請求項１乃至４に記載の蛍光体。
【請求項６】
前記ダイヤモンド状カーボン膜が、炭化水素系ガスを原料としたＣＶＤ法によって形成されたことを特徴とする請求項１乃至５に記載の蛍光体。
【請求項７】
外囲器と、前記外囲器の内面に形成された陽極導体と、前記陽極導体の表面に設けられた蛍光体と、前記外囲器の内部に設けられた電子源とを有する表示管において、
前記蛍光体が請求項１乃至６に記載の蛍光体であることを特徴とする表示管。
【手続補正２】
【補正対象書類名】明細書
【補正対象項目名】０００２
【補正方法】変更
【補正の内容】
【０００２】
【従来の技術】
蛍光体は各種の表示素子において使用されている。例えば蛍光表示管においては、内部を高真空状態に保持された外囲器の内部に、蛍光体層を有する陽極や、電子を放出する陰極等の電極類が設けられ、陰極から放出された電子を蛍光体層に射突させて所望の色彩の発光表示を得ている。このような蛍光表示管等においては目的等に応じて各種の蛍光体が使用されている。このような各種の蛍光体の中で、例えば硫化物系蛍光体・Ｓｒ系蛍光体・Ｙ系蛍光体等のようなＩＩ−ＶＩ族を中心とした蛍光体は表面活性度が高いので、外囲器の内面等に付着しているＨ2 ，Ｈ2 Ｏ，Ｏ2 ，ＣＯ2 等の残留ガスがその表面に吸着して電子線励起による発光効率が低下してしまう。このような蛍光体表面へのガスの吸着を防ぐとともに、蛍光体自体の保護も兼ねて、蛍光体の表面にＳｉＯ2 膜をコートすることがある。このようなＳｉＯ2 膜のコートは、例えばブラウン管用の蛍光体における表面処理として知られている。


【手続補正３】
【補正対象書類名】明細書
【補正対象項目名】０００５
【補正方法】変更
【補正の内容】
【０００５】
【課題を解決するための手段】
請求項１に記載された蛍光体は、膜厚が１０オングストロームから２００オングストロームの範囲であるダイヤモンド状カーボン膜に被覆されたことを特徴としている。


【手続補正４】
【補正対象書類名】明細書
【補正対象項目名】０００６
【補正方法】変更
【補正の内容】
【０００６】
請求項２に記載された蛍光体は、ダイヤモンド状カーボン膜に被覆された蛍光体が粒子状であることを特徴としている。


【手続補正５】
【補正対象書類名】明細書
【補正対象項目名】０００７
【補正方法】変更
【補正の内容】
【０００７】
請求項３に記載された蛍光体は、ダイヤモンド状カーボン膜に被覆された蛍光体が層状に形成されたことを特徴とする。


【手続補正６】
【補正対象書類名】明細書
【補正対象項目名】０００８
【補正方法】変更
【補正の内容】
【０００８】
請求項４に記載された蛍光体は、不純物のドープによる導電性を有しているダイヤモンド状カーボン膜に被覆されたことを特徴とする。


【手続補正７】
【補正対象書類名】明細書
【補正対象項目名】０００９
【補正方法】変更
【補正の内容】
【０００９】
請求項５に記載された蛍光体は、請求項１乃至４に記載の蛍光体において、ＩＩ−ＶＩ族系蛍光体、ＩＩ−ＩＶ−ＶＩ族蛍光体、ＩＩＩ−ＩＶ−ＶＩ族蛍光体、ＩＩＩ−Ｖ族系蛍光体から選択された蛍光体であることを特徴とする。


【手続補正８】
【補正対象書類名】明細書
【補正対象項目名】００１０
【補正方法】変更
【補正の内容】
【００１０】
請求項６に記載された蛍光体は、請求項１乃至５に記載の蛍光体において、前記ダイヤモンド状カーボン膜が、炭化水素系ガスを原料としたＣＶＤ法によって形成されたことを特徴としている。


【手続補正９】
【補正対象書類名】明細書
【補正対象項目名】００１１
【補正方法】変更
【補正の内容】
【００１１】
請求項７に記載された表示管は、外囲器と、前記外囲器の内面に形成された陽極導体と、前記陽極導体の表面に設けられた蛍光体と、前記外囲器の内部に設けられた電子源とを有する表示管において、前記蛍光体が請求項１乃至６に記載の蛍光体であることを特徴としている。


【手続補正１０】
【補正対象書類名】明細書
【補正対象項目名】００１２
【補正方法】削除
【補正の内容】
【手続補正１１】
【補正対象書類名】図面
【補正対象項目名】図１
【補正方法】変更
【補正の内容】
【図１】
1998261371.tif 000001
【手続補正１２】
【補正対象書類名】図面
【補正対象項目名】図２
【補正方法】変更
【補正の内容】
【図２】
1998261371.tif 000002
【手続補正１３】
【補正対象書類名】図面
【補正対象項目名】図３
【補正方法】変更
【補正の内容】
【図３】
1998261371.tif 000003